(57)【要約】【課題】毛に対する形成力及び作業効率の向上した整毛装置を提供する。【解決手段】整毛装置は、把持部を有した本体１と、棒状の加熱部４を有した理容部１４と、前記加熱部４を前記加熱部４の軸周りに回転させる駆動部３とを備え、前記加熱部４が、軸方向Ａｘに視て断面多角形状である。【選択図】図１
2013090725.tif 000002
【特許請求の範囲】
【請求項１】
把持部を有した本体と、棒状の加熱部を有した理容部と、前記加熱部を前記加熱部の軸周りに回転させる駆動部とを備え、
前記加熱部が、軸方向に視て断面多角形状である
ことを特徴とする整毛装置。
【請求項２】
前記加熱部が、頂点を丸めた断面三角形状である
ことを特徴とする請求項１に記載の整毛装置。
【発明の詳細な説明】
【技術分野】
【０００１】
本発明は、毛を加熱部で加熱して、所望の形状に整える整毛装置に関する。
【背景技術】
【０００２】
従来から、整毛装置として、例えば、特許文献１、２に示すようなまつげ成形具等のまつ毛用の理容装置がある。特許文献１に示すまつげ成形具は、ハンドルを有した本体の先端側に、螺旋型のブラシと、ブラシの内側に並行に螺旋型に巻いた発熱体とが設けてある。特許文献２に示すまつげ成形具は、グリップを兼ねる本体ケースの一端に整形ヘッドを有し、整形ヘッドにまつ毛を加熱するヒータが配置してある。そして、整形ヘッドの周面には、まつ毛を整形するための第１整形面と第２整形面とを対向配置して、両整形面のそれぞれにまつ毛を梳く櫛歯が設けてある。このまつ毛整形具では、まつ毛を櫛歯で梳き所望の形状に整え、且つこのまつ毛をヒータの熱で整えた形状に保持させて、整毛する。
【先行技術文献】
【特許文献】
【０００３】
【特許文献１】登録実用新案第３０４２７２３号公報
【特許文献２】特開２００９−２１９５７１号公報
【発明の概要】
【発明が解決しようとする課題】
【０００４】
ところで、特許文献１、２等の従来のまつ毛成形具は、まつ毛をブラシや整形ヘッドで梳くと共に、このまつ毛をヒータや発熱体の熱で加熱し、この状態でさらに、まつげ整形具を把持した手（手首）を動かしてまつげを屈曲させることで、整形するものである。
【０００５】
そのため、これら従来のまつ毛成形具は、手首を動かして所望の形状に整形する、すなわち使用者の技術や操作によって所望の形状に整形するものとなっており、整形時の作業効率があまり高くない。そして、整形ヘッドやブラシ（発熱体）の略同じ部位をまつ毛に接して整形するため、この部位の温度が低下し易く、まつ毛に供給された熱量が不足して、屈曲させた形状に保持し難くなる等で、まつ毛を整形し難くなる（形成力が低下する）恐れがある。更に、手や手首を動かして所望の形状に整形するため、まつ毛成形具自体は、まつ毛を屈曲させる（カールさせる）等の毛に対する形成力があまり高くないという問題がある。
【０００６】
そこで、この事情を鑑み、毛に対する形成力及び作業効率の向上した整毛装置を提供することを課題とした。
【課題を解決するための手段】
【０００７】
上記課題を解決するために、本発明の整毛装置は、把持部を有した本体と、棒状の加熱部を有した理容部と、前記加熱部を前記加熱部の軸周りに回転させる駆動部とを備え、前記加熱部が、軸方向に視て断面多角形状であることを特徴とする。
【０００８】
この整毛装置として、前記加熱部が、頂点を丸めた断面三角形状であることが好ましい。
【発明の効果】
【０００９】
このような構成としたことで、回転する加熱部で毛を加熱することができ、毛に対する形成力を向上し易くすることができ、且つ作業効率を向上し易くすることができる。
【図面の簡単な説明】
【００１０】
【図１】実施形態の一例の整毛装置の斜視図である。
【図２】整毛装置の分解斜視図である。
【図３】理容部の斜視図である。
【図４】コームを外した状態の理容部周辺の斜視図である。
【図５】コームを外した状態の正面図である。
【図６】コームの平面図である。
【図７】加熱部回転時における加熱部の回転中心から接触面の毛に接触する部位までの距離を模式的に説明した図であり、（ａ）が本実施形態であり、（ｂ）が参考例である。
【図８】加熱部回転時におけるまつ毛の変位を模式的に説明した図であり、（ａ）が本例の変位前であり、（ｂ）が本実施形態の変位時であり、（ｃ）が参考例である。
【発明を実施するための形態】
【００１１】
以下、本発明の実施形態を、図面に基づいて例示して説明する。
【００１２】
＜実施形態１＞
本実施形態の整毛装置は、図１に示すように、電源を内蔵した本体１と、加熱部４及びコーム５を有した理容部１４と、理容部１４に回転駆動を出力する駆動部３と、本体１に対して着脱自在で理容部１４を覆うキャップ１０（図２参照）とを備える。そして、本実施形態の整毛装置は、まつ毛を屈曲した形状（カールした形状）に整形する所謂まつ毛カーラとなっている。
【００１３】
本体１は、図１に示すように、円柱状で、動作操作用の操作部６が外殻に露出して設けてある。外殻は、電池１３を収納する電池カバー１２と、操作部６を設けたハウジング１１とで形成されており、ハウジング１１は円柱における一端に理容部１４が設けてあり、円柱の反対側の一端に電池カバー１２が着脱自在に設けてある。そして、本体１には、図２に示すように、電源となる電池１３と、電池１３を加熱部４及び駆動部３と電気的に接続する回路部２と、駆動源としてモータ３１を備えた駆動部３とが収納される。以下、円柱の軸方向Ａｘを、単に軸方向Ａｘと記載し、方向の一基準とする。
【００１４】
回路部２は操作部６の操作に応じて、加熱部４の加熱動作の入り切りと、モータ３１の駆動動作（加熱部４の回転動作）の入り切りと、加熱部４の回転方向の正逆切替とを行う。そして、操作部６は、加熱部４による加熱動作の操作用のスイッチ６１と、駆動部３による回転動作の操作用のスイッチ６２とを有する。すなわち、操作部６はスイッチ６１を操作することで、回路部２を介して、加熱動作の入り切りを操作することができ、スイッチ６２を操作することで、回路部２を介して、回転動作の入り切りと、回転方向の正逆切替とを操作することができる。
【００１５】
駆動部３は、駆動源となるモータ３１と、モータ３１の駆動を理容部１４に伝達する駆動伝達部３２とで主体が構成される。モータ３１は軸方向Ａｘに沿って且つ本体１と略同心で回転軸を備えており、駆動伝達部３２は、例えば、遊星減速機構となっている。そして、駆動伝達部３２はモータ３１の回転駆動を略同心で理容部１４に出力しており、駆動部３は理容部１４の加熱部４を軸中心に回転させており、この回転動作は、上述の通り、スイッチ６２により入り切り操作される。
【００１６】
理容部１４は、図３に示すように、まつ毛を加熱するための加熱部４と、まつ毛を梳くためのコーム５とを備え、本体１の一端から軸方向Ａｘに突出して設けてある。
【００１７】
加熱部４は、図２に示すように、ヒータ線４１と、ヒータベース４２及びヒータベースカバー４３と、ヒータカバー４４及びヒータカバーリング４５と、導電用部材とを有する。そして、加熱部４は、図４に示すように、本体１の一端から軸方向Ａｘに突出した棒状となっており、駆動部３からの駆動によって、棒の軸心を中心として軸回りに回転する。
【００１８】
導電用部材は回路部２とヒータ線４１とを電気的に接続する。そして、導電用部材は、図２に示すように、円筒状で一対のヒータ端子４６ａと、円弧形状で一対の端子ばね４６ｂと、二つのＵリング４６ｃとで主体が構成されており、各々金属等の導電性材料で形成される。なお、導電用部材の詳細な構成は、加熱部４の他の構成部材の説明の際に合わせて説明する。
【００１９】
ヒータベース４２は、軸方向Ａｘに長尺の棒状部４２ａと、導電用部材を介して回路部２に電気的に接続される基部４２ｂとで主体が構成される。そして、ヒータベース４２は、駆動部３と略同心で設けてあり、基部４２ｂが本体１内部に収容され、棒状部４２ａが本体１から軸方向Ａｘに突出する。
【００２０】
棒状部４２ａは、軸方向Ａｘに視て断面略三角形の枠状で、軸方向Ａｘに長尺の側面を三つ有した形状となっている。そして、棒状部４２ａは、三角形の頂点のうちの二点の近傍に、ヒータ線４１（詳細は後述する）を配置するためのガイド部（図示せず）が設けてある。ガイド部は他方のガイド部側に凹んだ溝状で、側面の軸方向Ａｘにおける寸法の略全長に亘って形成される。
【００２１】
基部４２ｂは円筒形状で、ベアリング４７及びヒータベースカバー４３を介してハウジング１１に回転自在で取り付けてある。そして、基部４２ｂは外周面に、導電用部材の一つであるヒータ端子４６ａが設けてある。ヒータ端子４６ａはヒータベースカバー４３を間に介在して軸方向Ａｘにおいて並んで配置されており、このヒータベースカバー４３によって短絡が防止される。そして、ヒータ端子４６ａは、ハウジング１１の内面（本体１内部）に取り付けられた端子ばね４６ｂと、電気的に接続される。端子ばね４６ｂは、通電部材（本実施形態ではリード線４８）を介して回路部２と電気的に接続される。
【００２２】
また、基部４２ｂは外周面と二つのヒータ端子４６ａとの間に各々、ヒータ線４１の異なる端部が配置されており、両ヒータ端子４６ａはヒータ線４１を介して電気的に接続される。そして、基部４２ｂは、棒状部４２ａに設けたガイド部が延長して設けてあり、ガイド部内に位置したヒータ線４１は、基部４２ｂに取り付けたヒータカバー４４と電気的に接触することが抑制される。
【００２３】
ヒータ線４１は端部がＵリング４６ｃを介して基部４２ｂに固定されており、端部は各々外周に位置したヒータ端子４６ａとＵリング４６ｃを介して電気的に接続される。そのため、ヒータ線４１は、スイッチ６１の入り操作によって電池１３から回路部２及び導電性部材を介して給電されて、発熱し、スイッチ６１の切り操作によって電池１３からの給電が遮断され、発熱を停止する。
【００２４】
そして、ヒータ線４１はガイド部に沿って棒状部４２ａのガイド部を設けた側面及び軸方向Ａｘにおける先端部に亘って配置される。更に、ヒータ線４１はヒータカバー４４によって覆われて外部から保護されており、ヒータカバー４４はヒータカバーリング４５（詳細は後述する）を介して基部４２ｂに固定される。
【００２５】
ヒータカバー４４は筒状で、筒の内部にヒータ線４１及びヒータベース４２が位置しており、ヒータ線４１を介在してヒータベース４２の側面及び先端部を覆い、ヒータ線４１の露出を防止する。そして、ヒータカバー４４はヒータ線４１との間に空間を有しており、ヒータカバー４４はヒータ線４１から絶縁された状態でヒータ線４１の発した熱によって加熱される。
【００２６】
更に、ヒータカバー４４はアルミニウムやその合金等の伝熱性の高い材料で形成されており、ヒータ線４１の通電時（給電時）に生じる熱がヒータベース４２に比べて伝達され易くなっている。そのため、加熱部４は、ヒータカバー４４に伝達された熱で、ヒータカバー４４に接触した毛（まつ毛）を加熱することができ、ヒータカバー４４の筒の外周面が、加熱用に毛を接触させる接触面４１ａとなっている。
【００２７】
また、ヒータカバー４４は軸方向Ａｘに視て、断面多角形形状、具体的には、角（頂点）を丸めた多角形形状となっている。そして、本実施形態では、ヒータカバー４４の断面形状が、角（頂点）を丸めた略三角形形状となっている。そのため、加熱部４は、図５に示すように、軸方向Ａｘに視て（正面視）多角形状となっており、加熱部４は接触面４１ａに、多角形の各辺を主体とした平面を有した形状となっている。
【００２８】
更に、ヒータカバー４４は本体１側の端部が径外方向に広がった大径部４４ｂとなっており、該大径部４４ｂにヒータカバーリング４５を取り付けることで、ヒータカバー４４はヒータベース４２の基部４２ｂに固定される。そして、ヒータカバー４４は三角形の一辺に突出先端側に開口し且つ軸方向Ａｘに沿って凹んだ溝部４４ａが設けてある。なお、図５では、大径部４４ｂ及びヒータカバーリング４５を省略した。
【００２９】
言い換えると、ヒータカバーリング４５は、ヒータカバー４４をヒータベース４２に抜け止めして保持する抜け止め部材となっており、図４に示すように、ヒータカバー４４の本体１側の端部を基部４２ｂに保持している。そして、ヒータカバーリング４５は回転中心側に突出した凸部４５ａを有する。凸部４５ａは、ヒータカバーリング４５を大径部４４ｂに取り付けた際に、ヒータカバー４４の溝部４４ａに嵌まり込み、ヒータベース４２の回転時に、基部４２ｂに保持したヒータカバー４４がヒータベース４２に対して回転することを防止する。
【００３０】
そのため、ヒータカバーリング４５は、上記抜け止め部材としての機能に加えて、ヒータカバー４４のヒータベース４２に対する回転を抑制する回り止め部材としての機能を有し、ヒータカバー４４はヒータベース４２と一体で回転する。また、ヒータカバーリング４５は絶縁材料で形成されており、棒状部４２ａに近い側のヒータ端子４６ａの棒状部４２ａ側への抜けを抑制し、且つヒータカバー４４をヒータ端子４６ａから絶縁する。
【００３１】
コーム５は、図３に示すように、櫛部５１を周面として備えた有底円筒状で、筒内に加熱部４が配置され、且つ底部でヒータカバー４４の先端部を覆っており、開口側の端部が本体１に固定される。櫛部５１は、図６に示すように、加熱部４の回転中心を軸心とした螺旋形状で、加熱部４の接触面４１ａを覆う位置に設けてある。言い換えると、櫛部５１はコーム５の全周に亘って、円周方向（回転円）に対して軸方向Ａｘに傾斜し且つ軸方向Ａｘに交差して形成してある。
【００３２】
そして、櫛部５１の軸方向Ａｘにおける間の空間（隙間）は、加熱部４の接触面４１ａにまつ毛を導入するための導入溝５２となっており、コーム５は螺旋形状に導入溝５２を設けた構成となっている。
【００３３】
このように、円周方向の略全周に亘って接触面４１ａを有した加熱部４において、加熱部４を回転させたことで、毛（まつ毛）を接触させる加熱部４の接触面４１ａを回転に伴って変更することができる。そのため、加熱部４の同じ部位（接触面４１ａ）のみでの毛の加熱による毛への供給熱量の低下を抑制し易くなり、毛を整形し易く（カールさせ易く）することができ、整形時の作業効率等の整毛装置の利便性を向上し易くすることができる。
【００３４】
そして、加熱部４（ヒータカバー４４）を断面多角形状としたことで、図７（ａ）に示すように、回転中心から接触面４１ａまでの距離（図中の点線Ｌ１から実線Ｌ２までの距離Ｄ１参照）を加熱部４の回転に伴い変化させることができる。そのため、図７（ｂ）に示すような断面円形状で距離Ｄ１が一定のもの（変位しないもの）に比べて、加熱部４が回転することで、加熱部４に接触した毛（図８の毛Ｈ参照）を動かす（まつ毛を流す）ことができ、作業効率を向上し易くすることができる。更に、加熱部４を断面多角形状としたことで、加熱部４の接触面４１ａが平面を有した形状となり、加熱部４が毛と面接触し易くなる。そのため、点接触し易い断面円形状の加熱部４に比べて、接触時における毛との接触面積を大きくし易くすることができ、毛に熱を付与し易くすることができ、整形時の作業効率を向上し易くすることができる。
【００３５】
また、本実施形態において、加熱部４を断面略正三角形状としたことで、平面状の接触面４１ａを他の多角形に比べて広く（一辺を長く）し易くなり、毛を面接触し易くすることができ、整形時の作業効率を向上し易くすることができる。そして、断面形状の頂点を丸めたことで、頂点近傍において、毛との接触箇所が頂点の曲面に沿って変更し易く（カールし易く）なる。そのため、頂点近傍において毛が略同じ個所に接触したままになり易い頂点が角張ったものに比べて、接触面４１ａの温度低下による熱量不足を生じ難くすることができ、整形時の作業効率の低下を抑制し易くすることができる。
【００３６】
更に、加熱部４（駆動部３）の回転方向を正逆切替自在としたことで、例えば、通常顔に左右一対で存在するまつ毛に対して、右側と左側とで回転方向を切り替えて使用することで、対をなすまつ毛を左右対象の形状に整形し易くすることができる。このように、回転方向を選択可能としたことで、まつ毛を整形し易くなり、整毛装置の利便性を向上し易くすることができる。
【００３７】
また、コーム５の櫛部５１を螺旋形状に設けたことで、加熱部４の接触面４１ａにおいて、櫛部５１の軸方向Ａｘにおける間（導入溝５２）から露出する部位が、円周方向においてずれて位置する構成となっている。そのため、櫛部５１を設けた領域において、全周のいずれかの位置に導入溝５２を有した構成となり、毛を導入溝５２に導入し易くして、毛を加熱部４に接触させ易く（毛を加熱し易く）することができ、整毛装置の利便性を向上し易くすることができる。
【００３８】
なお、本発明は各実施形態の構成のみに限定されるものではなく、本発明の意図する範囲内であれば、各実施形態において適宜の設計変更を行うことや、各実施形態の構成を適宜組み合わせて適用することが可能である。例えば、コーム５は、回転中心と同心で円環状の櫛部５１を複数有した、所謂円板形状に櫛部５１を設けたものや、複数の円環状の櫛部５１を軸方向Ａｘに傾斜させて軸方向Ａｘに交差して配置した、所謂傾斜円盤形状に櫛部５１を設けたもの等であってもよい。また、整毛装置はまつ毛カーラに限らない。
【符号の説明】
【００３９】
１  本体
４  加熱部
１４  理容部
３  駆動部
Ａｘ  軸方向
【図１】
2013090725.tif 000003
【図２】
2013090725.tif 000004
【図３】
2013090725.tif 000005
【図４】
2013090725.tif 000006
【図５】
2013090725.tif 000007
【図６】
2013090725.tif 000008
【図７】
2013090725.tif 000009
【図８】
2013090725.tif 000010